(57)【特許請求の範囲】
【請求項１】
トイレの壁面に沿うように配置される壁下地材に、内装用の壁パネルをとりつけて形成されるトイレ壁の形成方法において、
裏面の一側端がわに、隣接する壁パネルを保持するジョイナーが側方に突出するように設けられた壁パネルを、上部を上記壁下地材の上部に取り付けられたチャンネル材中に差し込むとともに、上下位置調整手段が取り付けられた下部をトイレの床面側に支持させて、上記壁下地材に沿うように配置した後、この壁パネルの上下方向の位置決めを行い、
つぎに、上記壁パネルの上部側を上記チャンネル材に固定するとともに、この壁パネルの下部側と上記ジョイナー側とを上記壁下地材に固定し、
つぎに、上記壁パネルと同じ手順で、この壁パネルに隣接する他の壁パネルを取り付けるにあたり、上記壁パネルの上記ジョイナーに、上記他の壁パネルを加圧して、このジョイナーを弾性変形させ、上記他の壁パネルの一側端がわを、上記壁パネルに密着させつつ上記ジョイナーに保持させるようにして、必要枚数の壁パネルを順次設置するようにしたことを特徴とするトイレ壁の形成方法。
【請求項２】
トイレの壁面に沿うように配置される壁下地材に、内装用の壁パネルを取り付けて形成されるトイレ壁の形成方法において、
表面側にタイルが張られた壁パネルを、上部を上記壁下地材の上部に取り付けられたチャンネル材中に差し込むとともに、上下位置調整手段が取り付けられた下部をトイレの床面側に支持させた状態で、必要な複数枚数だけ上記壁下地材に沿って左右方向に配置し、
つぎに、上記複数の壁パネル間がタイル目地分となるように、これらの壁パネルの左右位置を調整するとともに、上記複数の壁パネルの両側端がわの、少なくとも１枚だけはタイルが施工されていないタイル未施工凹部どうしを隣接させるように、これらの壁パネルの上下位置を調整し、
つぎに、上記複数の壁パネルの隣接する上記タイル未施工凹部どうしを、このタイル未施工凹部にあてた壁接続材によって互いに連結しつつ上記壁下地材に固定するとともに、これらの壁パネルの上部を上記チャンネル材に、下部を上記壁下地材にそれぞれ固定し、
つぎに、不足タイルの施工と上記壁パネル間の目地部の施工とを行うようにしたことを特徴とするトイレ壁の形成方法。
【発明の詳細な説明】
【０００１】
【発明の属する技術分野】
この発明は、トイレ壁の形成方法に関するものであり、更に詳しくは、トイレの壁面に沿うように配置される壁下地材に、内装用の壁パネルを取り付けて形成されるトイレ壁の形成方法に関するものである。
【０００２】
【従来の技術】
トイレの壁面に内装用の壁パネルを取り付けて、トイレ壁を形成するには、図１２及び図１３で示されるように、まず、施工壁面Ｗ近くの天井面Ｔと床面Ｆとに、固定ねじＳ１とアンカーボルトＶを介して、溝状の上及び下ランナー１００，１０１をそれぞれ取り付けた後、間柱となるスタッド１０２の上下端を上及び下ランナー１００，１０１に差し込んで、このスタッド１０２を所定ピッチで必要数だけ取り付けることにより、施工壁面Ｗに沿って壁下地材を形成する。つづいて、下ランナー１０１内にアジャスター１１０を固定するとともに、このアジャスター１１０の調整ボルト１１０ａ上に、パネル受け１１１を支持させる。この場合、下ランナー１０１の側板部１０１ａをパネル受け１１１の下向溝部１１１ａ内に差し込むようにする。
【０００３】
つぎに、外面側が内装用に仕上げられた壁パネル１２０の上端側案内部１２０ａを上ランナー１００内に差し込むとともに、下端側をパネル受け１１１上に載せ、かつ、図１４で示されるように、壁パネル１２０の左右両端側の支持部１２０ｂをスタッド１０２に当てた状態で、隣接する壁パネル１２０の支持部１２０ｂどうしを、固定ねじＳ２を介して、目地板１３０より加圧する。このことにより、壁パネル１２０がスタッド１０２側に加圧固定され、複数の壁パネル１２０により、トイレ壁が形成される。なお、壁パネル１２０の上下方向の位置調整は、アジャスター１１０の調整ボルト１１０ａの上下動により、パネル受け１１１を介して、壁パネル１２０を上下動させることにより行っていた。
【０００４】
【発明が解決しようとする課題】
しかしながら、上記従来のトイレ壁の形成方法では、壁パネル１２０間に目地板１３０を配置する必要があるため、壁パネル１２０間に大きな（例えば１０から１５ｍｍ程度）目地部分が生じてしまい、壁パネル１２０によって仕上げられたトイレ壁の外観が、この目地部分によって損なわれてしまうという問題があった。また、壁パネル１２０のアジャスター１１０による上下方向の位置合わせも、壁パネル１２０やパネル受け１１１を取り外して行う必要があり、この作業も容易でないという問題があった。
【０００５】
さらに、上記従来のトイレ壁の形成方法によりタイル壁を形成する場合には、目地板１３０による目地部分が大きすぎてしまうため、タイル下地材からなる壁パネル等の外面に、現地でタイルを張り付けねばならず、タイル壁の形成が容易でないという問題があった。
【０００６】
この発明は、以上の点に鑑み、壁パネル間に大きな目地部分を設ける必要がないとともに、壁パネルの上下方向の位置合わせも簡単にできるトイレ壁の形成方法を提供することを目的とする。
【０００７】
また、この発明は、上記目的に加え、タイル壁も容易に形成できるトイレ壁の形成方法を提供することを目的とする。
【０００８】
【課題を解決するための手段】
この発明の請求項１記載の発明は、トイレの壁面に沿うように配置される壁下地材に、内装用の壁パネルをとりつけて形成されるトイレ壁の形成方法において、裏面の一側端がわに、隣接する壁パネルを保持するジョイナーが側方に突出するように設けられた壁パネルを、上部を上記壁下地材の上部に取り付けられたチャンネル材中に差し込むとともに、上下位置調整手段が取り付けられた下部をトイレの床面側に支持させて、壁下地材に沿うように配置した後、この壁パネルの上下方向の位置決めを行い、つぎに、壁パネルの上部側をチャンネル材に固定するとともに、この壁パネルの下部側と上記ジョイナー側とを壁下地材に固定し、つぎに、壁パネルと同じ手順で、この壁パネルに隣接する他の壁パネルを取り付けるにあたり、壁パネルのジョイナーに、他の壁パネルを加圧して、このジョイナーを弾性変形させ、他の壁パネルの一側端がわを、壁パネルに密着させつつジョイナーに保持させるようにして、必要枚数の壁パネルを順次設置するようにしたことである。
【０００９】
この発明では、壁パネルは、上部が上部チャンネル材に固定されるとともに、下部とジョイナーを介した左右両側端の一方側とが壁下地材に固定される。また、この壁パネルに隣接する他の壁パネルは、上部が上部チャンネル材中に位置決めされるとともに、左右両側端の他方側が、固定ずみの上記壁パネルに設けられたジョイナーに保持されて、この壁パネルの側端に密着した状態で位置決めされた後、この壁パネルと同様に固定される。この場合、他の壁パネルは、これをジョイナー側に加圧して、ジョイナーを弾性変形させることにより、この壁パネルの側端に密着した状態で位置決めされので、壁パネル間に従来のような固定用の目地板を設ける必要がなく、トイレ壁全体の外観を向上させることができる。また、壁パネルの上下方向の位置合わせも、この壁パネルに設けられた上下位置調整手段により容易になすことができる。
【００１０】
この発明の請求項２記載の発明は、トイレの壁面に沿うように配置される壁下地材に、内装用の壁パネルを取り付けて形成されるトイレ壁の形成方法において、表面側にタイルが張られた壁パネルを、上部を壁下地材の上部に取り付けられたチャンネル材中に差し込むとともに、上下位置調整手段が取り付けられた下部をトイレの床面側に支持させた状態で、必要な複数枚数だけ壁下地材に沿って左右方向に配置し、つぎに、壁複数のパネル間がタイル目地分となるように、これらの壁パネルの左右位置を調整するとともに、複数の壁パネルの両側端がわの、少なくとも１枚だけはタイルが施工されていないタイル未施工凹部どうしを隣接させるように、これらの壁パネルの上下位置を調整し、つぎに、複数の壁パネルの隣接するタイル未施工凹部どうしを、このタイル未施工凹部にあてた壁接続材によって互いに連結しつつ壁下地材に固定するとともに、これらの壁パネルの上部をチャンネル材に、下部を壁下地材にそれぞれ固定し、つぎに、不足タイルの施工と壁パネル間の目地部の施工とを行うようにしたことである。
【００１１】
この発明では、表面にタイルが張られた壁パネルを、上部を上部チャンネル材中に位置決めするとともに、下部をトイレの床面に支持させて、必要な枚数だけ壁下地材に沿うように配置した後、これらの壁パネルの上下、左右の位置の調整をしているため、隣接する壁パネル間の隙間をタイルの目地幅と同一にすることができ、壁パネルの表面側にタイルが張られている場合でも、トイレ壁のタイル壁全体を見栄えのよいものとすることができる。この場合、上下の位置の調整に当たり、少なくとも一枚分だけタイルの施工がなされていない、壁パネルの両側端がわのタイル未施工凹部どうしを隣接させ、このタイル未施工凹部どうしを、これらにあてた壁接続材により連結しつつ、壁下地材に固定しているため、壁パネル間の間隔が精度よく維持されるとともに、壁パネルの両側端がわも充分に支持される。なお、壁パネルは、上部が上部チャンネル材側に固定されるとともに下部が壁下地材側に固定されるため、壁パネルの他の部分の支持も充分になされる。
【００１２】
【発明の実施の形態】
以下、この発明の実施の形態を図面を参照しつつ説明する。
実施形態１.
図１はこの発明の一実施の形態に係るトイレ壁の形成方法に用いられる壁パネルを壁下地材側に取り付けている状態を示している。なお、この実施形態１では、トイレの内装壁が塩ビ鋼板壁である場合について説明する。
【００１３】
トイレ壁は、図１で示されるように、壁パネル１と、ジョイナー２と、上部アングル材３と、上部チャンネル材４と、幅木５と、壁下地材６とから構成されている。
【００１４】
壁パネル１は、図１で示されるように、幅と高さとが所定寸法に形成され、外面に塩化ビニール製の内装材が貼られた塩ビ鋼板１０の外周端内側に、断面Ｃ形の補強材１１を取り付け、この上部側の補強材１１Ａに、上部支持材１２を取り付けるとともに、下部側の補強材１１Ｂに、図４で示されるように、幅木取付材１３と、上下位置調整手段としての高さ調整ボルト１４と、下部固定材１５とを取り付けたものである。なお、この実施の形態では、図５等で示されるように、塩ビ鋼板１０の裏面側に壁パネル下地材Ｑが貼られている。
【００１５】
ここで、塩ビ鋼板１０の外周端は、図５及び図６で示されるように、所定長さだけ内側に直角曲げされていて、この曲げ部１０ａの内側端部に左、右部側の補強材１１Ｃが取り付けられているとともに、この補強材１１Ｃの上下端に、補強材１１Ａ，１１Ｂ（図１参照）が取り付けられている。また、高さ調整ボルト１４は、図４及び図７で示されるように、補強材１１Ｂの左右両端部に取り付けられており、下端の頭部１４ａを回すことにより、塩ビ鋼板１０等を上下動できるようになっている。さらに、下部固定材１５は、高さ調整ボルト１４の外方の補強材１１Ｂの左右両端に取り付けられているとともに、幅木取付材１３は、補強材１１Ｂの左右の高さ調整ボルト１４間に左右に長く取り付けられている。
【００１６】
ジョイナー２は、隣接する壁パネル１どうしを弾性力によって密着するように連結するものであり、図８で示されるように、溝形の本体部２０の上下端に、Ｌ形の固定部２１，２１を有するバネ板から形成されている。本体部２０の前方に突出する側片２０ａは、壁パネル１の補強材１１Ｃの幅サイズと略同サイズに形成されているとともに、この側片２０ａに対向する側片２０ｂの中間部は、内側に凸状に曲げられている。このジョイナー２は、図５で示されるように、側片２０ａ側が、壁パネル１の、例えば、左部側の補強材１１Ｃに固定ビスＢ１を介して取り付けられ、側片２０ｂ側が、この壁パネル１に隣接する壁パネル１の右部側の補強材１１Ｃの開口部１１ａに、加圧状態で嵌め込まれて、２つの壁パネル１を密着するように保持する。
【００１７】
壁下地材６は、図９で示されるように、トイレの施工壁面Ｗに近接した天井面Ｔに取り付けられる上ランナー６０と、施工壁面Ｗに近接した床面Ｆに取り付けられる下ランナー６１と、上及び下ランナー６０，６１を介して、上下端が天井面Ｔと床面Ｆとに取り付けられ、施工壁面Ｗに沿うように配置される複数のスタッド６２と、スタッド６２の中間部を連結する補強バー６３とから構成されている。この場合、少なくとも、一対のスタッド６２は、中心線間距離が壁パネル１の左右幅と同一となるように配置される。
【００１８】
なお、壁パネル１の補強材１１、上部アングル材３、上部チャンネル材４、及び壁下地材６の各要素は軽量形鋼から形成されている。
【００１９】
つぎに、トイレ壁の形成方法について説明する。
まず、例えば、コンクリート打ちによって形成された、仕上げ前のトイレの壁面Ｗに近接させて、上及び下ランナー６０，６１、スタッド６２及び補強バー６３からなる壁下地材６を設置する。この壁下地材６の取り付け手順は、従来技術の項で説明した上及び下ランナー１００，１０１とスタッド１０２の取り付けと同一であるため、その説明は省略する。なお、補強バー６３はスタッド６２の設置後に取り付ける。
【００２０】
つぎに、壁下地材６のスタッド６２の上部に、水平な状態で上部アングル材３をビスによって固定するとともに、この上部アングル材３の下面側に上部チャンネル材４を、開口部を下向きにした状態でビスにより固定する。つづいて、左部側の補強材１１Ｃにジョイナー２が取り付けられた壁パネル１の上部支持材１２を、上部チャンネル材４中に差し込むとともに、下部側を高さ調整ボルト１４を介して、トイレの床面Ｆ上に載せ、この壁パネル１を、スタッド６２に沿わせるように垂直に位置決めする。この場合、壁パネル１の左右両端側が、一対のスタッド６２に対向するように位置決めする。
【００２１】
つぎに、高さ調整ボルト１４を回して壁パネル１の上下方向の位置合わせをした後、この壁パネル１の上部支持材１２を固定ビスＢ２により上部チャンネル材４側に固定するとともに、この壁パネル１の下部固定材１５を、図６で示されるように、固定ビスＢ３とライナーＬ１を介して、対向するスタッド６２側に固定する。また、ジョイナー２の固定部２１を、固定ビスＢ４とライナーＬ２を介して（図５参照）、対向するスタッド６２に固定して、この壁パネル１を壁下地材６側に取り付ける。つづいて、同様に、ジョイナー２が取り付けられた隣接する壁パネル１の上部側を上部チャンネル材４中に差し込むとともに、下部側を高さ調整ボルト１４を介して、トイレの床面Ｆ上に載せ、この壁パネル１の左端側を次のスタッド６２に沿わせるように垂直に位置決めする。この場合、この壁パネル１の右部側の補強材１１Ｃを前述の壁パネル１のジョイナー２中に押圧して差し込み、壁パネル１どうしを、密着させた状態とする。
【００２２】
つぎに、前述の壁パネル１の場合と同様に、この壁パネル１の上下位置の調整をした後、この壁パネル１の上部支持材１２を上部チャンネル材４側に固定するとともに、下部固定材１５とジョイナー２とを、ライナーＬ１，Ｌ２を介して、対向するスタッド６２に固定し、この壁パネル１を壁下地材６側に取り付ける。同様にして、必要枚数の壁パネル１を壁下地材６に取り付ける。この場合、左端側の壁パネル１には、接続用のジョイナー２を取り付ける必要はない。そして、壁下地材６側に取り付けられた複数の壁パネル１の幅木取付材１３に、幅木５を取り付けて、壁パネル１の下部側を覆えば、一面側のトイレ壁が完成する。
【００２３】
なお、幅木５の下端側に新たなトイレの床面が形成されるとともに、壁パネル１の塩ビ鋼板１０の上端側に、新たなトイレの天井面が形成される。
【００２４】
以上のように、このトイレ壁の形成方法では、壁パネル１の一側端がわに、弾性体からなるジョイナー２を用いて、隣接する壁パネル１を密着するように保持しているため、壁パネル１どうしは密着状態で接合される。このため、このトイレ壁の形成方法によれば、壁パネル１間に大きな目地部分が生じてしまうことはなく、トイレ壁の見栄えをよくすることができる。この場合、壁パネル１の一側端がわ中間部は、ジョイナー２を介して、壁下地材６側に固定され、他側端がわ中間部は、ジョイナー２を介して、上下方向を除く、左右と前後方向に位置決め支持されるため、この壁パネル１の他の壁パネル１と接する部分の位置決めと支持も充分になされる。
【００２５】
また、このトイレ壁の形成方法では、壁パネル１自身に高さ調整ボルト１４を設け、壁パネル１を直接床面Ｆ上に設置するようにしているため、従来のように、パネル受けが必要になることもないとともに、壁パネル１の上下方向の位置合わせも容易に行うことができる。
【００２６】
さらに、このトイレ壁の形成方法では、壁パネル１の上部を壁下地材６側に取り付けた上部チャンネル材４中に差し込んで固定するようにしているため、壁パネル１の上部側の位置決めや固定の容易化を図ることができるとともに、壁パネル１の下部側も最終的に幅木５より覆っているため、その下部側の見栄えも悪くならない。
【００２７】
実施形態２．
図１０はこの発明の他の実施の形態に係るトイレ壁の形成方法に用いられる壁パネルを壁下地材側に取り付けている状態を示している。この実施形態では、トイレの内装壁がタイル壁である場合について説明するが、実施形態１で説明したものと同一機能を有するものには、図面中に同一符号を付して、その説明を省略する。
【００２８】
トイレ壁は、図１０で示されるように、壁パネル７と、壁接続材８と、上部アングル材３と、上部チャンネル材４と、幅木５（図示せず）と、壁下地材６等とから構成されており、このトイレ壁では、実施形態１のジョイナー２の替わりに壁接続材８が用いられている。
【００２９】
壁パネル７は、図１０で示されるように、タイル７１が張り付けられるタイル下地材７０の裏面側外周端に、補強材１１が取り付けられ、この上部側の補強材１１Ａ（図示せず）に上部支持材１２（図示せず）が取り付けられるともに、この下部側の補強材１１Ｂ（図示せず）に、幅木取付材１３と高さ調整ボルト１４と下部固定材１５とが取り付けられている。そして、この壁パネル７のタイル下地材７０の表面側には、所定サイズの陶器製タイル７１がほぼ全面に亘って多数張り付けられ、タイル７１間に目地材が施工されているが、上下方向中間部の左右両側端側に、タイル７１が一枚だけ施工されないタイル未施工部７０ａが形成されている。そして、このタイル未施工部７０ａの一部には、補強材１１Ｃまで達する凹部Ｕが形成されている。
【００３０】
壁接続材８は、薄い金属板から形成されており、図１１で示されるように、タイル下地材７０の凹部Ｕに当てられて、隣接する壁パネル７どうしを連結するとともに、これらの壁パネル７を壁下地材６側に固定するためのものである。
【００３１】
つぎに、このトイレ壁の形成方法について説明すると、まず、壁下地材６を設置して、このスタッド６２に、上部アングル材３を介して、上部チャンネル材４を取り付けた後、壁パネル７の上部側を上部チャンネル材４内に差し込むとともに、下部側を高さ調整ボルト１４を介して、床面Ｆ上に載せ、この壁パネル７をスタッド６２に沿わせるように垂直に位置決めする。つづいて、隣接する壁パネル７を同様な方法で、スタッド６２に沿わせるように順次位置決めする。この場合、壁パネル７の左右位置を調整して、壁パネル７間に最適な目地隙間Ｍがとれるようにするとともに、壁パネル７の前後位置を調整して、これらの壁パネル７の表面が同一平面上に配置されるようにする。
【００３２】
つぎに、高さ調整ボルト１４を使用して、すべての壁パネル７の上下位置を調整した後、隣接する壁パネル７のタイル下地材７０の凹部Ｕに壁接続材８を当て、この壁接続材８と補強材１１とを貫通させて、固定ビスＢ５を壁下地材６のスタッド６２にねじ込み、隣接する壁パネル７どうしを連結するとともに、これらの壁パネル７の両側端がわを壁下地材６側に固定する。つづいて、壁パネル７の上部側を上部チャンネル材４に固定するとともに、壁パネル７の下部固定材１５をスタッド６２に固定する。
【００３３】
つぎに、タイル下地材７０のタイル未施工部７０ａにタイル７１を張り、このタイル７１周りの目地材の施工をする。つづいて、壁パネル７間の目地隙間Ｍに、シリコーン等のコーキング材を詰め、壁パネル７間の目地仕上げを行うとともに、壁パネル７の下部に幅木５を取り付ければ、一面側のトイレ壁が完成する。
【００３４】
以上のように、このトイレ壁の形成方法では、壁パネル７の両側端がわにタイル未施工部７０ａを設けて、このタイル未施工部７０ａに壁接続材８を取り付けることにより、隣接する壁パネル７どうしを連結するようにしているため、壁パネル７どうしを所望の目地隙間Ｍを持たせて配置できる。このため、壁パネル７側に予めタイル７１を張り付けておいても、壁パネル７間のタイル７１どうしを自然な目地状態で配置でき、現地で多量のタイル張り工事を行うことなく、この壁パネル７によってトイレのタイル壁を迅速かつ見栄えよく形成できる。なお、このトイレ壁の形成方法においても、現地でのタイル張り工事があるが、量が僅かなため、これが工期やトイレ壁の見栄えに影響を及ぼすことはない。
【００３５】
また、このトイレ壁の形成方法では、壁接続材８を壁下地材６のスタッド６２に固定しているため、壁パネル７の上下方向中間部の支持も充分になされる。もちろん、このトイレ壁の形成方法でも、壁パネル７自身に高さ調整ボルト１４が設けられているため、壁パネル７の上下方向の位置合わせ（目地合わせ）が容易にできるとともに、壁パネル７の上部が上部チャンネル材４に固定され、下部がスタッド６２に固定されるため、壁パネル７の上下部の支持も充分になされる。また、幅木５によって壁パネル７の下部側の見栄えもよくすることができる。
【００３６】
なお、タイル未施工部７０ａの未施工タイル７１の枚数は、タイル７１の大きさ等を考慮して適宜定められるものとする。
【００３７】
また、この実施の形態では、タイル未施工部７０ａを、壁パネル７の両側端がわ中間部に一箇所ずつ設けたが、これを複数箇所ずつ設け、より強固に壁パネル７どうしを連結するとともに、この壁パネル７をより強固に壁下地材６側に固定するようにしてもよい。
【００３８】
【発明の効果】
この発明は、以上のように構成されているので、以下に記載されるような効果を奏する。
【００３９】
この発明の請求項１記載の記載の発明によれば、トイレの壁面に沿うように配置される壁下地材に、内装用の壁パネルをとりつけて形成されるトイレ壁の形成方法において、裏面の一側端がわに、隣接する壁パネルを保持するジョイナーが側方に突出するように設けられた壁パネルを、上部を上記壁下地材の上部に取り付けられたチャンネル材中に差し込むとともに、上下位置調整手段が取り付けられた下部をトイレの床面側に支持させて、壁下地材に沿うように配置した後、この壁パネルの上下方向の位置決めを行い、つぎに、壁パネルの上部側をチャンネル材に固定するとともに、この壁パネルの下部側と上記ジョイナー側とを壁下地材に固定し、つぎに、壁パネルと同じ手順で、この壁パネルに隣接する他の壁パネルを取り付けるにあたり、壁パネルのジョイナーに、他の壁パネルを加圧して、このジョイナーを弾性変形させ、他の壁パネルの一側端がわを、壁パネルに密着させつつジョイナーに保持させるようにして、必要枚数の壁パネルを順次設置するようにしたので、壁パネル間に大きな目地部分を設ける必要がないとともに、壁パネルの上下方向の位置合わせも簡単におこなうことができる。
【００４０】
この発明の請求項２記載の発明によれば、トイレの壁面に沿うように配置される壁下地材に、内装用の壁パネルを取り付けて形成されるトイレ壁の形成方法において、表面側にタイルが張られた壁パネルを、上部を壁下地材の上部に取り付けられたチャンネル材中に差し込むとともに、上下位置調整手段が取り付けられた下部をトイレの床面側に支持させた状態で、必要な複数枚数だけ壁下地材に沿って左右方向に配置し、つぎに、壁複数のパネル間がタイル目地分となるように、これらの壁パネルの左右位置を調整するとともに、複数の壁パネルの両側端がわの、少なくとも１枚だけはタイルが施工されていないタイル未施工凹部どうしを隣接させるように、これらの壁パネルの上下位置を調整し、つぎに、複数の壁パネルの隣接するタイル未施工凹部どうしを、このタイル未施工凹部にあてた壁接続材によって互いに連結しつつ壁下地材に固定するとともに、これらの壁パネルの上部をチャンネル材に、下部を壁下地材にそれぞれ固定し、つぎに、不足タイルの施工と壁パネル間の目地部の施工とを行うようにしたので、壁パネル間に大きな目地部分を設ける必要がなく、壁パネルによってタイル壁を見栄えよく形成できるとともに、壁パネルの上下方向の位置合わせも簡単におこなうことができる。
【図面の簡単な説明】
【図１】  この発明の一実施の形態に係るトイレ壁の形成方法に用いられる壁パネルを壁下地材側に取り付けている状態を示す斜視図である。
【図２】  図１で示される壁パネルが壁下地材側に取り付けられた状態の正面図である。
【図３】  図２のＡ−Ａ矢視断面図である。
【図４】  図１で示される壁パネルの下部側を示す図である。
【図５】  図１で示される壁パネルの左右両側端がわの接合状態を示す図である。
【図６】  図２のＢ−Ｂ矢視断面図である。
【図７】  図２のＣ−Ｃ矢視断面図である。
【図８】  図１で示されるアジャスターの斜視図である。
【図９】  壁下地材の外観斜視図である。
【図１０】  この発明の実施形態２に係るトイレ壁の形成方法に用いられる壁パネル等を示す図である。
【図１１】  図１０で示される壁パネルの左右両端がわの接合状態を示す図である。
【図１２】  従来のトイレ壁の形成方法によって形成されたトイレ壁の断面図である。
【図１３】  図１２で示されるトイレ壁の分解斜視図である。
【図１４】  図１２で示されるトイレ壁の隣接する壁パネルどうしの接合状態を示す図である。
【符号の説明】
１，７  壁パネル
２    ジョイナー
４    上部チャンネル材（チャンネル）材
６    壁下地材
８    壁接続材
１４    高さ調整ボルト（上下位置調整手段）
１５    下部固定材（壁パネルの下部）
６２    スタッド（壁下地材）
７０ａ  タイル未施工部分
７１    タイル
Ｆ      床面
Ｍ      目地隙間（目地部）
Ｗ      壁面
【図１】
0003972114.tif 000002
【図２】
0003972114.tif 000003
【図３】
0003972114.tif 000004
【図４】
0003972114.tif 000005
【図５】
0003972114.tif 000006
【図６】
0003972114.tif 000007
【図７】
0003972114.tif 000008
【図８】
0003972114.tif 000009
【図９】
0003972114.tif 000010
【図１０】
0003972114.tif 000011
【図１１】
0003972114.tif 000012
【図１２】
0003972114.tif 000013
【図１３】
0003972114.tif 000014
【図１４】
0003972114.tif 000015